(57)【要約】【課題】一枚のシートから組み立て可能な組立式万華鏡を提供する。【解決手段】組立式万華鏡１は，透過性のある長方形状のパーツを巻き，差込片を差込口に挿入して筒状に形成した筒体である外筒体１０と，外筒体１０に差し込む筒体で，ミラーシステム体１２を内側に取り付けた内筒体１１を備え，外筒体１０に，万華鏡のオブジェクトとなる絵柄を印刷し，ミラーシステム体１２は，斜辺を有する２枚のミラーパネル１２０を，それぞれの斜辺を合わせテーパード状に組み合わせた構成になっている。【選択図】図１
2019101282.tif 000002
【特許請求の範囲】
【請求項１】
透過性のある長方形状のパーツを巻き，差込片を差込口に挿入して筒状に形成した筒体である外筒体と，前記外筒体に差し込む前記筒体で，ミラーシステム体を内側に取り付けた内筒体を備え，
前記外筒体に，万華鏡のオブジェクトとなる絵柄を印刷し，
前記ミラーシステム体は，斜辺を有する２枚のミラーパネルを，それぞれの斜辺を合わせテーパード状に組み合わせた構成になっている，
ことを特徴とする組立式万華鏡。
【請求項２】
前記外筒体の形成に用いる差込片は，前記外筒体の外側を挿入方向として，前記外筒体の形成に用いる差込口に挿入されており，前記内筒体の形成に用いる差込片は，前記内筒体の内側を挿入方向として，前記内筒体の形成に用いる差込口に挿入されている，
ことを特徴とする，請求項１に記載した組立式万華鏡。
【請求項３】
前記ミラーシステム体は，二等辺三角形の形状をなしている三角形パネルの等辺それぞれに，２つの斜辺がくの字になる向きで直角台形の前記ミラーパネルを連設し，前記ミラーパネルの斜辺を合わせた箇所を係止する係止片を設けたパーツを利用して形成さている，
ことを特徴とする，請求項１または請求項２に記載した組立式万華鏡。
【請求項４】
前記ミラーパネルは，前記ミラーパネルの幅方向に延びる翼片を一辺に有し，前記翼片の幅は，前記ミラーシステム体の開口側から閉口側に向けて広くなっている，
ことを特徴とする，請求項１から請求項３のいずれか一項に記載した組立式万華鏡。
【請求項５】
レンズを設けた覗き口が中央部に形成されている円形状の覗き口体を前記内筒体の端に取り付けたことを特徴とする，請求項１から請求項４のいずれか一項に記載した組立式万華鏡。
【請求項６】
透過性のある基材を用いたシートであって，
万華鏡のオブジェクトとなる絵柄を印刷した長方形状の外筒体用パーツと，前記外筒体用パーツよりもサイズが小さい長方形状の内筒体用パーツと，斜辺を有する２枚のミラーパネルが，それぞれの斜辺を合わせテーパード状に組み合わせられるように配置され，一つの前記ミラーパネルを介して前記内筒体用パーツと連設しているミラーシステム体用パーツを有し，
前記外筒体用パーツを切り取るためのカット線と，前記内筒体用パーツとこれに連設している前記ミラーシステム体用パーツを切り取るためのカット線が形成され，
前記外筒体用パーツの内部には，前記外筒体用パーツを筒状に形成するための差込片と差込口を形成されており，前記ミラーパネルと連設している辺と対向する前記内筒体用パーツの辺には，前記内筒体用パーツを筒状に形成するための差込片が突設しており，前記内筒体用パーツと連設している前記ミラーシステム体用パーツの前記ミラーパネルには，前記内筒体用パーツに形成した差込片を挿入する差込口が形成されている，
ことを特徴とする万華鏡用組立シート。
【請求項７】
前記ミラーシステム体用パーツは，二等辺三角形の形状をなしている三角形パネルの等辺それぞれに，２つの斜辺がくの字になる向きで直角台形の前記ミラーパネルを連設し，前記ミラーパネルの斜辺を合わせた箇所を係止する係止片を設けた構成になっている，
ことを特徴とする，請求項６に記載した万華鏡用組立シート。
【請求項８】
前記ミラーパネルは，前記三角形パネルの等辺の傾斜に合わせて幅を広くした翼片を一辺に有する，
ことを特徴とする，請求項７に記載した万華鏡用組立シート。
【請求項９】
レンズを設けた覗き口が中央部に形成されている円形状の覗き口体を有し，前記覗き口体を切り取るカット線を形成した，
ことを特徴とする，請求項６から請求項８のいずれか一項に記載した万華鏡用組立シート。
【発明の詳細な説明】
【技術分野】
【０００１】
本発明は，一枚のシートから組み立てることのできる組立式万華鏡に関する。
【背景技術】
【０００２】
光学機器の一つで，複数枚の反射面を有するミラーシステムを内部に内蔵し，覗き口を介して内部を覗くと，ミラーシステムで生じる光の反射により，ビーズなどのオブジェクトが幾何学模様として見えるように構成された万華鏡を販促品として利用する試みが以前よりなされている。
【０００３】
万華鏡は，消費者が滅多に買わないものであるため，「珍しさ」や「インパクト」などの観点から販促品に適しているが，万華鏡は立体物であるため，流通コストが嵩んでしまう問題がある。
【０００４】
流通コストを抑えるためには万華鏡を平面状にすることが必要で，特許文献１では，平面状態で配布可能な万華鏡として，折畳み自在な筒状本体と，筒状本体の内側に固定され折畳み自在な筒状鏡体と，筒状本体の長手方向前端に屈折可能に連接された前端片と，これと回動自在に支持された円盤などを備えた折畳み型万華鏡が開示されている。
【先行技術文献】
【特許文献】
【０００５】
【特許文献１】特開２００４−３５４９２６号公報
【発明の概要】
【発明が解決しようとする課題】
【０００６】
特許文献１で開示されている折畳み型万華鏡は，使用時には簡単な操作で立体化できるが，製造コストを考えると，ペーパークラフトのように，一枚のシートから万華鏡を組み立てられることが望ましい。特許文献１で開示されている折畳み型万華鏡は，筒状本体に前端片などを連設させた一枚のシートを組み立てた形態をなしているが，円盤を前端片に回動自在に支持するための支持要素（ハトメや割ピン）がシートは別に必要になってしまう。
【０００７】
そこで，本発明は，一枚のシートから組み立て可能な組立式万華鏡と，組立式万華鏡を組み立て可能に形成した万華鏡用組立シートを提供することを目的とする。
【課題を解決するための手段】
【０００８】
組立式万華鏡に係る第１発明は，透過性のある長方形状のパーツを巻き，差込片を差込口に挿入して筒状に形成した筒体である外筒体と，前記外筒体に差し込む前記筒体で，ミラーシステム体を内側に取り付けた内筒体を備え，前記外筒体に，万華鏡のオブジェクトとなる絵柄を印刷し，前記ミラーシステム体は，斜辺を有する２枚のミラーパネルを，それぞれの斜辺を合わせテーパード状に組み合わせた構成になっていることを特徴とする組立式万華鏡である。第１発明に係る組立式万華鏡では，前記外筒体の内側に印刷された絵柄が万華鏡のオブジェクトとなり，前記ミラーシステム体は，前記外筒体の内側に印刷された絵柄を幾何学模様として映し出すように構成されている。
【０００９】
更に，組立式万華鏡に係る第２発明は，第１発明に記載した組立式万華鏡において，前記外筒体の形成に用いる差込片は，前記外筒体の外側を挿入方向として，前記外筒体の形成に用いる差込口に挿入されており，前記内筒体の形成に用いる差込片は，前記内筒体の内側を挿入方向として，前記内筒体の形成に用いる差込口に挿入されていることを特徴とする。第２発明によれば，前記外筒体の回動をスムーズに行える。
【００１０】
更に，組立式万華鏡に係る第３発明は，第１発明または第２発明に記載した組立式万華鏡において，前記ミラーシステム体は，二等辺三角形の形状をなしている三角形パネルの等辺それぞれに，２つの斜辺がくの字になる向きで直角台形の前記ミラーパネルを連設し，前記ミラーパネルの斜辺を合わせた箇所を係止する係止片を設けたパーツを利用して形成さていることを特徴とする。第３発明によれば，前記ミラーシステム体の剛性を高められる。
【００１１】
更に，組立式万華鏡に係る第４発明は，第１発明から第３発明のいずれか一つに記載した組立式万華鏡において，前記ミラーパネルは，前記ミラーパネルの幅方向に延びる翼片を一辺に有し，前記翼片の幅は，前記ミラーシステム体の開口側から閉口側に向けて広くなっていることを特徴とする。第４発明によれば，前記内筒体の内部に収められた前記ミラーシステム体の姿勢を安定化できる。
【００１２】
更に，組立式万華鏡に係る第５発明は，第１発明から第４発明のいずれか一つに記載した組立式万華鏡において，レンズを設けた覗き口が中央部に形成されている円形状の覗き口体を前記内筒体の端に取り付けたことを特徴とする。第５発明によれば，幾何学模様をきれいに映し出すことができる。
【００１３】
万華鏡用組立シートに係る第６発明は，透過性のある基材を用いたシートであって，万華鏡のオブジェクトとなる絵柄を印刷した長方形状の外筒体用パーツと，前記外筒体用パーツよりもサイズが小さい長方形状の内筒体用パーツと，斜辺を有する２枚のミラーパネルが，それぞれの斜辺を合わせテーパード状に組み合わせられるように配置され，一つの前記ミラーパネルを介して前記内筒体用パーツと連設しているミラーシステム体用パーツを有し，前記外筒体用パーツを切り取るためのカット線と，前記内筒体用パーツとこれに連設している前記ミラーシステム体用パーツを切り取るためのカット線が形成され，前記外筒体用パーツの内部には，前記外筒体用パーツを筒状に形成するための差込片と差込口を形成されており，前記ミラーパネルと連設している辺と対向する前記内筒体用パーツの辺には，前記内筒体用パーツを筒状に形成するための差込片が突設しており，前記内筒体用パーツと連設している前記ミラーシステム体用パーツの前記ミラーパネルには，前記内筒体用パーツに形成した差込片を挿入する差込口が形成されていることを特徴とする万華鏡用組立シートである。第６発明に係る万華鏡用組立シートから，第１発明または第２発明に記載した組立式万華鏡を組み立てることができる。
【００１４】
更に，万華鏡用組立シートに係る第７発明は，第６発明に記載した万華鏡用組立シートにおいて，前記ミラーシステム体用パーツは，二等辺三角形の形状をなしている三角形パネルの等辺それぞれに，２つの斜辺がくの字になる向きで直角台形の前記ミラーパネルを連設し，前記ミラーパネルの斜辺を合わせた箇所を係止する係止片を設けた構成になっていることを特徴とする。第７発明に係る万華鏡用組立シートから，第３発明に記載した組立式万華鏡を組み立てることができる。
【００１５】
更に，万華鏡用組立シートに係る第８発明は，第７発明に記載した万華鏡用組立シートにおいて，前記ミラーパネルは，前記三角形パネルの等辺の傾斜に合わせて幅を広くした翼片を一辺に有することを特徴とする。第８発明に係る万華鏡用組立シートから，第４発明に記載した組立式万華鏡を組み立てることができる。
【００１６】
更に，万華鏡用組立シートに係る第９発明は，第６発明から第８発明のいずれか一つに記載した万華鏡用組立シートにおいて，レンズを設けた覗き口が中央部に形成されている円形状の覗き口体を有し，前記覗き口体を切り取るカット線を形成したことを特徴とする。第９発明に係る万華鏡用組立シートから，第５発明に記載した組立式万華鏡を組み立てることができる。
【発明の効果】
【００１７】
このように，本発明によれば，一枚のシートから組み立て可能な組立式万華鏡と，組立式万華鏡を組み立て可能に形成した万華鏡用組立シートを提供できる。
【図面の簡単な説明】
【００１８】
【図１】本実施形態に係る組立式万華鏡の外観を説明する図。
【図２】本実施形態に係るミラーシステム体を説明する図。
【図３】組立式万華鏡が映し出す幾何学模様を説明する図。
【図４】本実施形態に係る万華鏡用組立シートを説明する図。
【図５】外筒体の組み立てに用いる外筒体用パーツを説明する図。
【図６】外筒体用パーツの組み立て方を説明する図。
【図７】内筒体の形成に用いる内筒体用パーツを説明する図。
【図８】ミラーシステム体の形成に用いるミラーシステム体用パーツを説明する図。
【図９】内筒体用パーツとミラーシステム体用パーツの組み立て方を説明する図。
【図１０】覗き口体を説明する図。
【図１１】覗き口体の取り付け方を説明する図。
【図１２】組立式万華鏡の組み立て方を説明する図。
【発明を実施するための形態】
【００１９】
ここから，本発明の好適な実施形態を記載する。なお，以下の記載は本発明の技術的範囲を束縛するものでなく，本発明の理解を助けるために記述するものである。
【００２０】
図１は，本実施形態に係る組立式万華鏡１の外観を説明する図である。図１で図示した組立式万華鏡１は，透過性のある長方形状のパーツを巻き，差込片を差込口に挿入して筒状に形成した筒体である外筒体１０と，外筒体１０に差し込む筒体で，ミラーシステム体１２を内側に取り付けた内筒体１１を備え，外筒体１０に，万華鏡のオブジェクトとなる絵柄（図１では，図示していない）を印刷し，ミラーシステム体１２は，斜辺を有する２枚のミラーパネル１２０を，それぞれの斜辺を合わせテーパード状（次第に細くなる）に組み合わせた構成になっている。加えて，本実施形態に係る組立式万華鏡１は，レンズを設けた覗き口１３０を形成した覗き口体１３を備え，外筒体１０の外側になる内筒体１１の端側に覗き口体１３を取り付けている。
【００２１】
本実施形態において，内筒体１１の長さは外筒体１０より短く，ミラーシステム体１２の長さは外筒体１０の長さに合わせられており，ミラーシステム体１２は，ミラーシステム体１２の開口側が内筒体１１の端面から埋設し，ミラーシステム体１２の閉口側が内筒体１１の端面から突出する状態で内筒体１１に取り付けられている。
【００２２】
図１で図示した組立式万華鏡１では，ビーズなどの浮遊物をオイルに封入したセルや絵柄を印刷した円盤は設けられておらず，ミラーシステム体１２で反射させるオブジェクトは，外筒体１０の一部領域に印刷された絵柄になる。本実施形態では，外筒体１０の内側にオブジェクトとなる絵柄を印刷しているが，光透過インク等を使用する場合には，外筒体１０の外側にオブジェクトとなる絵柄を印刷できる。外筒体１０に差し込んだ内筒体１１の径を外筒体１０の径よりも若干小さくしているため，内筒体１１が差し込まれた状態で外筒体１０は回動可能であり，組立式万華鏡１では，絵柄を印刷した円盤の代わりとして外筒体１０が回動する。なお，外筒体１０の内側の一部領域に印刷する絵柄は，絵，写真，幾何学模様，文字・記号など任意でよい。
【００２３】
組立式万華鏡１が万華鏡として機能するためには，ミラーシステム体１２の開口側から覗いたとき，外筒体１０の内側に印刷した絵柄が幾何学模様で映し出されなければならない。外筒体１０の内側に印刷した絵柄が幾何学模様で見えるように，本実施形態では，ミラーシステム体１２の形態に工夫を凝らしている。
【００２４】
図２は，本実施形態に係るミラーシステム体１２を説明する図である。
【００２５】
本実施形態に係るミラーシステム体１２は，直角をもつ台形である直角台形の形状をなしている２枚のミラーパネル１２０と，二等辺三角形の形状をなしている一枚の三角形パネル１２１から構成されている。ミラーパネル１２０の底辺の長さは，三角形パネル１２１の等辺の長さとほぼ同じで，２枚のミラーパネル１２０それぞれを，ミラーパネル１２０の底辺と三角形パネル１２１の等辺を合わせた状態で三角形パネル１２１に立設させることで，２枚のミラーパネル１２０は，それぞれのミラーパネル１２０の斜辺が合わさるようにテーパード状に組み合わされている。また，それぞれのミラーパネル１２０の斜辺を合わせているミラーシステム体１２の閉口側は，ミラーパネル１２０の斜辺と連設している係止片１２３と係止片１２３が形成されていたフラップ片１２４を利用して係止した状態になっている。
【００２６】
２枚のミラーパネル１２０それぞれの大きさは同じであるが，ミラーシステム体１２の内側が反射面になるように，光を反射させる加工を施している面は逆になる。図２において，手前になるミラーパネル１２０では，光を反射させる加工を施している面は奥側になり，奥になるミラーパネル１２０では，光を反射させる加工を施している面は手前側になっている。なお，本実施形態に係るミラーシステム体１２を構成する三角形パネル１２１にも，光を反射させる加工を施しても構わないが，光を反射させる加工を施すことは必須でない。光を反射させる加工としては，銀紙を貼り付ける加工やアルミ被膜を蒸着させる加工も考えられるが，本実施形態では，アルミ箔を箔押しする加工を用いてミラーパネル１２０の反射面を製造している。
【００２７】
図２で図示したミラーパネル１２０は，ミラーパネル１２０の一辺（ここでは，天辺）に，ミラーパネル１２０の幅方向に延びる翼片１２２を有し，翼片１２２の幅は，ミラーシステム体１２の開口側から閉口側に向けて広くなっている。ミラーパネル１２０が翼片１２２を有するのは，内筒体１１の内側にミラーシステム体１２を収めた状態で，ミラーシステム体１２の姿勢を安定化させるためである。
【００２８】
このような形態のミラーシステム体１２では，ミラーシステム体１２の上面側と，ミラーシステム体１２の閉口側の逆側が開口した状態になる。本実施形態では，外筒体１０および内筒体１１に透過性のあるシート基材を用いているため，ミラーシステム体１２の上面側が採光口になる。ミラーシステム体１２を構成する２枚のミラーパネル１２０はテーパード状に組まれているため，ミラーシステム体１２の上面側から入光しミラーパネル１２０に当たった光は，２枚のミラーパネル１２０間で反射してミラーシステム体１２の開口側に導光され，ミラーシステム体１２の開口側からみると，外筒体１０の内側に印刷された絵柄が幾何学模様で映し出される。
【００２９】
図３は，組立式万華鏡１が映し出す幾何学模様を説明する図である。ミラーシステム体１２の開口側に導出される光は，ミラーシステム体１２を構成する２枚のミラーパネル１２０で反射された光になるため，組立式万華鏡１の模様は，ミラーシステム体１２を構成する２枚のミラーパネル１２０に映し出され，図３では，組立式万華鏡１の模様は放射状の模様になっている。
【００３０】
これまで説明した組立式万華鏡１は，ビーズなどの浮遊物をオイルに封入したセルや絵柄を印刷した円盤を必要としないので，組立式万華鏡１の組み立てに必要なパーツを一枚のシートに収めることが可能である。
【００３１】
図４は，本実施形態に係る万華鏡用組立シート２を説明する図である。本実施形態に係る万華鏡用組立シート２には，透過性（透明または半透明）のある基材が用いられ，本実施形態に係る万華鏡用組立シート２は，外筒体１０の組み立てに用いる外筒体用パーツ２０，内筒体１１の組み立てに用いる内筒体用パーツ２１，ミラーシステム体１２の組み立てに用いるミラーシステム体用パーツ２２，および，覗き口体１３そのものを有し，図４では，内筒体用パーツ２１とミラーシステム体用パーツ２２は折線２１ｂを介して連設している。
【００３２】
図４で図示した万華鏡用組立シート２には，外筒体用パーツ２０を切り取るためのカット線２０ａ，ミラーシステム体用パーツ２２と連設している内筒体用パーツ２１を切り取るためのカット線２１ａ，内筒体用パーツ２１と連設しているミラーシステム体用パーツ２２を切り取るためのカット線２２ａ，および，覗き口体１３を切り取るためのカット線２３ａがそれぞれ加工され，外筒体用パーツ２０等のそれぞれのパーツには， 図１で図示した組立式万華鏡１の組み立てに必要な折線等を加工している。なお，万華鏡用組立シート２に加工するカット線（図４では実線）や折線（図４では破線）には，それぞれに適したミシン目を利用できる。
【００３３】
図５は，外筒体１０の組み立てに用いる外筒体用パーツ２０を説明する図である。外筒体１０の組み立てに用いる外筒体用パーツ２０は，片側の２隅が丸くなっている長方形状をなしている。長手方向に丸めて外筒体用パーツ２０を筒状に成形する際，外筒体用パーツ２０の両側を係止する仕組みが必要になり，本実施形態では，隅が丸くなっている外筒体用パーツ２０の片側に，カット線を用いて差込片１００を形成し，これとは逆側に，カット線を用いて差込口１０１を形成している。
【００３４】
図５では，外筒体１０の内側になる外筒体用パーツ２０の面を図示しており，図５で図示したように，外筒体１０の内側になる外筒体用パーツ２０の面の一部領域に，組立式万華鏡１で映し出す模様の基になるオブジェクトとして用いる絵柄１０２（ここでは，水玉）を印刷している。なお，外筒体１０の外側になる外筒体用パーツ２０の面には，広告などの絵柄を印刷することができる。
【００３５】
図６は，外筒体用パーツ２０の組み立て方を説明する図である。組立式万華鏡１の外筒体１０は，差込片１００が内側になるように外筒体用パーツ２０を筒状に丸めた後，挿入方向が外筒体１０の外側になるように差込片１００を差込口１０１に挿入することで，外筒体用パーツ２０から外筒体１０を成形することができる。
【００３６】
図７は，内筒体１１の形成に用いる内筒体用パーツ２１を説明する図である。図７では，内筒体用パーツ２１のみを図示しているが，図４で図示した万華鏡用組立シート２において，内筒体用パーツ２１は，折線２１ｂを介して，ミラーシステム体用パーツ２２と連設した状態になっており，カット線２１ａおよびカット線２２ａが利用されて，内筒体用パーツ２１とミラーシステム体用パーツ２２が連接した状態で，万華鏡用組立シート２から切り取られる。
【００３７】
内筒体１１の形成に用いる内筒体用パーツ２１の形状は長方形状をなしており，外筒体用パーツ２０よりもサイズが小さくなっている。内筒体用パーツ２１には，ミラーシステム体用パーツ２２と連設している辺と対向する辺の外側に差込片１１０が突設され，更に，覗き口体１３の係止に用いる差込口１１１が内筒体用パーツ２１の内部に複数形成されている。
【００３８】
図８は，ミラーシステム体１２の形成に用いるミラーシステム体用パーツ２２を説明する図である。ミラーシステム体１２の形成に用いるミラーシステム体用パーツ２２は，二等辺三角形の形状をなしている三角形パネル１２１の等辺それぞれに，折線２２ｂを介して，２つの斜辺がくの字になる向きで直角台形のミラーパネル１２０を配置し，ミラーパネル１２０の斜辺を合わせた箇所を係止する係止片１２３を設けた構成になっている。本実施形態において，それぞれのミラーパネル１２０には，折線２２ｃを介して翼片１２２が連設し，折線２２ｄを介してフラップ片１２４が連設している。なお，ミラーパネル１２０と連設しているフラップ片１２４には，フラップ片１２４の一部を係止片１２３として用いるためのカット線を加工している。
【００３９】
翼片１２２は，内筒体１１の内側にミラーシステム体１２を収めた状態で，ミラーシステム体１２の姿勢を安定化させるための片である。翼片１２２を用いて，内筒体１１の内側に収めたミラーシステム体１２の姿勢を安定化させるためには，翼片１２２を含めたミラーシステム体１２の幅を内筒体１１の内径よりも若干大きくすることが必要になる。本実施形態において，ミラーシステム体１２は，三角形パネル１２１の等辺の傾斜に合わせてテーパード状をなすため，翼片１２２の幅を，三角形パネル１２１の等辺の傾斜に合わせて幅を広くしている。なお，内筒体用パーツ２１と連設している翼片１２２には，内筒体用パーツ２１に突設している差込片１１０を挿入する差込口１２５を形成している。
【００４０】
内筒体用パーツ２１とミラーシステム体用パーツ２２の組み立て方について説明する。図９は，内筒体用パーツ２１とミラーシステム体用パーツ２２の組み立て方を説明する図である。内筒体１１とミラーシステム体１２を組み立てる際，ミラーシステム体用パーツ２２を利用してミラーシステム体１２を形成した後，ミラーシステム体用パーツ２２と連設している内筒体用パーツ２１を利用して内筒体１１を形成することになる。
【００４１】
ミラーシステム体用パーツ２２からミラーシステム体１２を組み立てる際，ミラーパネル１２０と三角形パネル１２１の等辺の境に形成された折線２２ｂをそれぞれ谷折りし，ミラーパネル１２０の斜辺と連設しているフラップ片１２４をそれぞれ重ね合わせ，ミラーパネル１２０とフラップ片１２４の境に形成している折線２２ｄを利用して係止片１２３を折り曲げてミラーシステム体１２の閉口側を係止した後，翼片１２２が三角形パネル１２１に対して水平になるように，ミラーパネル１２０と翼片１２２の境に形成している折線２２ｃを山折りすることで，ミラーシステム体用パーツ２２からミラーシステム体１２を組み立てることができる。
【００４２】
内筒体用パーツ２１を利用して内筒体１１を組み立てる際，内筒体用パーツ２１とミラーシステム体用パーツ２２の境にある折線２１ｂを利用し，ミラーシステム体用パーツ２２を利用して組み立てたミラーシステム体１２の周囲を囲むように，内筒体用パーツ２１を筒状に巻いた後，挿入方向が内筒体１１の内側になるように，内筒体用パーツ２１に突設している差込片１１０をミラーシステム体用パーツ２２に形成している差込口１２５に挿入することで，ミラーシステム体１２とつながった状態で内筒体１１を組み立てることができる。
【００４３】
このように，ミラーシステム体１２と内筒体１１を組み立てることで，内筒体１１の内側に収められたミラーシステム体１２は，折線２１ｂを介して内筒体１１と連設し，かつ，ミラーパネル１２０が有する翼片１２２により内筒体１１の内側に支えられた格好になるため，内筒体１１の内側におけるミラーシステム体１２の姿勢は安定する。また，ミラーシステム体１２は，ミラーパネル１２０が三角形パネル１２１の等辺に立設し，ミラーパネル１２０の斜辺側が係止片１２３で係止された状態になるため，ミラーシステム体１２の剛性は高まっており，内筒体１１を差し込んだ外筒体１０を回動させても，ミラーシステム体１２の姿勢はほとんど変化しない。
【００４４】
なお，内筒体用パーツ２１に形成された差込片１１０の挿入方向（内筒体１１の内側になる）を，外筒体用パーツ２０に形成された差込片１００の挿入方向（外筒体１０の外側になる）の逆方向にしているのは，組立式万華鏡１を組立てた後，外筒体１０と内筒体１１の間に差込片があると，外筒体１０が回動するときの妨げになるからである。
【００４５】
図１０は，覗き口体１３を説明する図である。覗き口体１３は，レンズを設けた覗き口１３０を中央部に形成した円形状の本体と，本体の外周に複数の差込片１３１を突設させた形態をなしている。覗き口体１３の中央部に形成された覗き口１３０は単なる穴でもよいが，本実施形態では，幾何学模様の映し出しをよくするためには，覗き口１３０となる穴にレンズをはめ込んでいる。
【００４６】
図１１は，覗き口体１３の取り付け方を説明する図である。覗き口体１３の本体の径は，内筒体１１の径よりも若干短くなっており，覗き口体１３の差込片１３１を内筒体１１の差込口１１１にそれぞれ挿入して，内筒体１１の内側に覗き口体１３をはめ込んだ後，覗き口体１３の差込片１３１を上方向に折り曲げることで，内筒体１１の内側に覗き口体１３を取り付けることができる。
【００４７】
図１２は，組立式万華鏡１の組み立て方を説明する図である。ミラーシステム体１２を内側に収めた内筒体１１を，外筒体１０の内側に差し込んだ後，覗き口体１３を内筒体１１の内側に取り付けることで，図１で図示した組立式万華鏡１を組み立てることができる。
【符号の説明】
【００４８】
１    組立式万華鏡
１０  外筒体
１１  内筒体
１２  ミラーシステム体
１２０  ミラーパネル
１２１  三角形パネル
１２２  翼片
１２３  係止片
１２４  フラップ片
１３  覗き口体
１３０  覗き口
２  万華鏡用組立シート
２０  外筒体用パーツ
２１  内筒体用パーツ
２２  ミラーシステム体用パーツ
【図１】
2019101282.tif 000003
【図２】
2019101282.tif 000004
【図３】
2019101282.tif 000005
【図４】
2019101282.tif 000006
【図５】
2019101282.tif 000007
【図６】
2019101282.tif 000008
【図７】
2019101282.tif 000009
【図８】
2019101282.tif 000010
【図９】
2019101282.tif 000011
【図１０】
2019101282.tif 000012
【図１１】
2019101282.tif 000013
【図１２】
2019101282.tif 000014